(57)【要約】【課題】カード利用による入退室管理システムにおいて、カードの有効期限切れを的確かつ適切に防止できる入退室管理システムを得る。【解決手段】カード読取装置４によって個人情報および有効期限情報が読み取られるカード５を利用して個人識別を行う入退室管理システムにおいて、カード５の利用に際してカード５が有効期限切れかどうかを判別する有効期限判別手段と、カード５が有効期限告知期間かどうかを判別して、表示装置６、表示灯７、音声装置８の少なくともいずれかにより有効期限の告知をする有効期限告知処理手段とを設けた。【選択図】図１
2005182555.tif 000002
【特許請求の範囲】
【請求項１】
カードを利用して個人識別を行う入退室管理システムにおいて、カード利用に際してカードが有効期限切れかどうかを判別する有効期限判別手段と、カードが有効期限告知期間かどうかを判別して有効期限の告知処理をする有効期限告知処理手段とを設けたことを特徴とする入退室管理システム。
【請求項２】
カードを利用して個人識別を行う入退室管理システムにおいて、カード利用に際してカードが有効期限切れかどうかを判別する有効期限判別手段と、前記カードの有効期限を自動更新するかどうかを判別して自動更新処理を行う有効期限自動更新処理手段とを設けたことを特徴とする入退室管理システム。
【発明の詳細な説明】
【技術分野】
【０００１】
この発明は、入退室管理システム、特に、カードによる入退室管理システムのカード有効期限管理に関するものである。
【背景技術】
【０００２】
従来の入退室管理システムにおけるカード有効期限管理は、カード総管理者（発行者）が管理している（例えば、特許文献１参照）。
このような入退室管理システムでは、有効期限前に定期的なカード再発行作業が発生していた。また、この再発行作業遅れなどによりカード利用者が入室できないケースもあった。
【０００３】
【特許文献１】特開平１０−１２４７２４号公報
【発明の開示】
【発明が解決しようとする課題】
【０００４】
この発明は、カードの有効期限切れを的確かつ適切に防止できる入退室管理システムを得ようとするものである。
【課題を解決するための手段】
【０００５】
この発明に係る入退室管理システムでは、カードを利用して個人識別を行う入退室管理システムにおいて、カード利用に際してカードの有効期限切れを回避する処理を行う処理手段を設けたものである。
【発明の効果】
【０００６】
この発明によれば、カードの有効期限切れを的確かつ適切に防止できる入退室管理システムを得ることができる。
【発明を実施するための最良の形態】
【０００７】
実施の形態１．
この出願の発明による実施の形態１を図１および図２について説明する。図１は実施の形態１における入退室管理システムＡの構成を示すブロック図である。図２は実施の形態１における処理フローを示すフローチャートである。
【０００８】
入退室者はカード５を入退室管理システム１の構成要素としての個人識別装置３内にあるカード読取装置４に読み込ませる。カード５には、個人識別を行うための個人情報、カード有効期限およびカード有効期限告知日等が記録されている。
個人識別装置３には、有効期限判別手段および有効期限告知処理手段が設けられている。有効期限判別手段は、図２のような動作で、カード読取装置４はカード内に記録されているカード有効期限とカード読取装置４内に設定された日付とを比較し、有効期限内であるかどうかを判断し、有効期限切れであると入退室不許可となる。
【０００９】
次に、有効期限告知処理手段により有効期限を告知すべきかを判断する。有効期限切れ告知は、（１）あらかじめカード読取装置４に設定された告知日、および、（２）カード発行時にカード５内に記録された告知日を元に、その告知範囲内であるかを判断する。例えば、告知日２０日と設定されていれば、有効期限切れの２０日以内にカード利用された場合に有効期限告知をする。
【００１０】
この有効期限切れ告知は、（１）表示装置６にて告知（「例：このカードは、ｎ月ｍ日に有効期限切れとなります」）をする、（２）表示灯７にて告知（例：表示灯が点灯により）する、（３）音声装置８にて告知（例：特殊ブザー鳴動や「まもなく有効期限切れとなります」の音声）等の手段によりカード使用者に事前に告知することにより、所有カードの期限切れを把握でき、カード発行忘れ等による有効期限切れ後のカード操作による入退室不許可という状況を事前回避できる。
【００１１】
さらに、カード読取装置４にて上記の有効期限切れ告知カードが使用された場合には、上位のセンター装置２に通知する。
センター装置２は、（１）カード管理者への再発行手続き、（２）カード利用者への有効期限切れ案内などの連絡を行う。連絡は、書類・電子メール等の手段を用いることで可能となる。
【００１２】
この発明による実施の形態１によれば、カード読取装置４によって個人情報および有効期限情報が読み取られるカード５を利用して個人識別装置３により個人識別を行う入退室管理システムにおいて、カード５の利用に際してカード５が有効期限切れかどうかを判別する有効期限判別手段と、カード５が有効期限告知期間かどうかを判別して、表示装置６、表示灯７および音声装置８の少なくともいずれかにより有効期限の告知をする有効期限告知処理手段とを設けたので、有効期限の告知によりカードの有効期限切れを的確かつ適切に防止できる入退室管理システムを得ることができる。
【００１３】
実施の形態２．
この出願の発明による実施の形態２を図３および図４について説明する。図３は実施の形態２における入退室管理システムＢの構成を示すブロック図である。図４は実施の形態２における処理フローを示すフローチャートである。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１４】
入退室者はカード５を入退室管理システム１の構成要素としての個人識別装置３内にあるカード読取書込装置４に読み込ませる。カード５には、個人識別を行うための個人情報、カード有効期限およびカード有効期限告知日等が記録されている。
個人識別装置３には、有効期限判別手段および有効期限自動更新処理手段が設けられている。有効期限判別手段は、図４のような動作で、カード読取書込装置４はカード内に記録されているカード有効期限とカード読取装置４内の日付とを比較し、有効期限内であるかを判断し、有効期限切れであると、有効期限自動更新処理手段により有効期限自動更新処理を行う。
【００１５】
有効期限自動更新処理手段による有効期限自動更新処理は、接触型カードの場合、操作回数等の上限や劣化の影響で物理的に使用できなくなる場合もあるため、初回発行から何年経過しているか、操作回数がどれくらいで有効期限の自動更新を停止させるかを判断する機能を有し、これにより有効期限を自動更新したり、一定期間の利用延長の処理を行う。
【００１６】
これにより、個人認識装置の操作により、有効期限を自動更新することで個人情報の更新作業やカード再発行作業をなくすことができる。
【００１７】
この発明による実施の形態２によれば、カード読取装置４によって個人情報および有効期限情報が読み取られるカード５を利用して個人識別を行う入退室管理システムにおいて、カード５の利用に際してカード５が有効期限切れかどうかを判別する有効期限判別手段と、前記有効期限判別手段により有効期限切れと判別された場合に前記カード５の有効期限を自動更新するかどうかを判別して自動更新処理を行う有効期限自動更新処理手段とを設けたので、有効期限自動更新によりカードの有効期限切れを的確かつ適切に防止できる入退室管理システムを得ることができる。
【図面の簡単な説明】
【００１８】
【図１】この発明による実施の形態１における構成を示すブロック図である。
【図２】この発明による実施の形態１における動作手順を示すフローチャートである。
【図３】この発明による実施の形態２における構成を示すブロック図である。
【図４】この発明による実施の形態２における動作手順を示すフローチャートである。
【符号の説明】
【００１９】
１  入退室管理システム、２  センター装置、３  個人識別装置、４  カード読取装置、５  カード、６  表示装置、７  表示灯、８  音声装置。
【図１】
2005182555.tif 000003
【図２】
2005182555.tif 000004
【図３】
2005182555.tif 000005
【図４】
2005182555.tif 000006